(57)【特許請求の範囲】
【請求項１】
操作物の存在を判断する一方、操作物の位置を検出する場所に適用するセンサーシステムにおいて、
第一表面と、その第一表面に位置する第一区域と、その第一表面に位置し且つ前記第一区域の内に位置する第三区域と、を具備し、前記第一区域は、順に接続される第一辺と、第二辺と、第三辺と、第四辺と、を具備する四辺形区域であり、前記第三区域の面積が前記第一区域の面積より小さいパネルと、
前記第一表面の上に置かれるように前記第一辺に設置され、前記第一表面に垂直し且つ鏡面反射面から構成される第二平面を具備し、前記第二平面が第一区域の鏡像である第二区域と前記第三区域の鏡像である第四区域を形成する反射素子と、
前記第一平面の上で前記第三辺と第四辺が隣接する第一隅部に設置され、前記第三区域と第四区域をみんな検出できる画像検出装置と、
前記画像検出装置に電気接続されているプロセッサーと、
前記第一表面の上に置かれるように前記第二辺に設置され、前記反射素子の反射により反射素子の反対側に第二鏡像が形成され、且つ第一出光面を具備する第一導光棒と、
前記第一表面の上に置かれるように前記第三辺に設置され、前記反射素子の反射により反射素子の反対側に第三鏡像が形成され、且つ第二出光面を具備する第二導光棒と、
前記第一導光棒と第二導光棒に提供する光線が前記第一出光面と第二出光面から出る後、前記画像検出装置に入射するように光線を提供する光源モジュールと、を含み、
第一導光棒の少なくとも一部分と、第二鏡像の少なくとも一部分と、第三鏡像の少なくとも一部分が前記画像検出装置の検出できる範囲に入り、
前記操作物を前記第三区域に接近させる場合、操作物の第一鏡像が反射素子の反対側に形成されるので、前記操作物と第一鏡像が前記画像検出装置の検出範囲に入る場合、前記画像検出装置が操作物の存在を判断し、前記プロセッサーが操作物の実の位置を判断することを特徴とするセンサーシステム。
【請求項２】
前記光源モジュールは、前記第一隅部に設置される第一ランプを含むことを特徴とする請求項１に記載のセンサーシステム。
【請求項３】
前記光源モジュールは、前記第一辺と第二辺が隣接する第二隅部に設置される第二ランプをさらに含むことを特徴とする請求項２に記載のセンサーシステム。
【請求項４】
前記光源モジュールは、前記第二辺と第三辺が隣接する第三隅部に設置される第一ランプを含むことを特徴とする請求項１に記載のセンサーシステム。
【請求項５】
前記光源モジュールは、前記第一隅部に設置される第一ランプをさらに含むことを特徴とする請求項４に記載のセンサーシステム。
【請求項６】
前記光源モジュールは、前記第一辺と第二辺が隣接する第二隅部に設置される第三ランプをさらに含むことを特徴とする請求項５に記載のセンサーシステム。
【請求項７】
前記第一出光面と第二出光面が粗雑面に形成されていることを特徴とする請求項１に記載のセンサーシステム。
【請求項８】
前記第一出光面に設置される第一拡散フィルムと、前記第二出光面に設置される第二拡散フィルムと、をさらに含むことを特徴とする請求項１に記載のセンサーシステム。
【請求項９】
前記第一導光棒は、前記第一出光面と相対する第一導光棒の第一底面に設置される第一反射層を含み、前記第二導光棒は、前記第二出光面と相対する第二導光棒の第二底面に設置される第二反射層を含むさらに含むことを特徴とする請求項１に記載のセンサーシステム。
【請求項１０】
操作物の存在を判断する一方、操作物の位置を検出する場所に適用するセンサーシステムにおいて、
第一表面と、その第一表面に位置する第一区域と、その第一表面に位置し且つ前記第一区域の内に位置する第三区域と、を具備し、前記第一区域は、順に接続される第一辺と、第二辺と、第三辺と、第四辺と、を具備する四辺形区域であり、前記第三区域の面積が前記第一区域の面積より小さいパネルと、
前記第一表面の上に置かれるように前記第一辺に設置され、前記第一表面に垂直し且つ鏡面反射面から構成される第二平面を具備し、前記第二平面が第一区域の鏡像である第二区域と前記第三区域の鏡像である第四区域を形成する反射素子と、
前記第一平面の上で前記第三辺と第四辺が隣接する第一隅部に設置され、前記第三区域と第四区域をみんな検出できる画像検出装置と、
前記画像検出装置に電気接続されているプロセッサーと、
前記第一平面で前記第二辺に設置され、前記反射素子の反射により反射素子の反対側に第二鏡像が形成され、且つ第一出光面を具備する第一拡散フィルムと、
前記第一平面で前記第三辺に設置され、前記反射素子の反射により反射素子の反対側に第三鏡像が形成され、且つ第二出光面を具備する第二拡散フィルムと、
前記第一拡散フィルムと第二拡散フィルムに提供する光線が前記第一出光面と第二出光面から出る後、前記画像検出装置に入射するように光線を提供する光源モジュールと、を含み、
第一拡散フィルムの少なくとも一部分と、第二鏡像の少なくとも一部分と、第三鏡像の少なくとも一部分が前記画像検出装置の検出できる範囲に入り、
前記操作物を前記第三区域に接近させる場合、操作物の第一鏡像が反射素子の反対側に形成され、前記操作物と第一鏡像が前記画像検出装置の検出範囲に入る場合、前記画像検出装置が操作物の存在を判断し、前記プロセッサーが操作物の実の位置を判断することを特徴とするセンサーシステム。
【請求項１１】
前記光源モジュールは、複数のランプを含み、前記複数のランプで一部分のランプが前記第一出光面と相対する第一拡散フィルムの第一底面に設置され、残り部分のランプが前記第二出光面と相対する第二拡散フィルムの第二底面に設置されていることを特徴とする請求項１０に記載のセンサーシステム。
【発明の詳細な説明】
【技術分野】
【０００１】
本発明は、センサーシステム（sensing system）に関し、特に反射素子（reflective element）を有するセンサーシステムに関する。
【背景技術】
【０００２】
タッチシステム（touch system）に関する技術は多く公開されている。例えば、アメリカの特許４，７８２，３２８、アメリカの特許６，８０３，９０６等を参照することができる。上述した２つの特許に記載されるタッチシステムには、少なくとも２つのセンサーが設置されているので、タッチシステムの生産コスト（cost of production）が高くなる。以下、１つの特許に対して説明する。
【０００３】
図１は、従来の技術に係るタッチスクリーンシステムを示す図である。アメリカ特許４，７８２，３２８に記載されるタッチスクリーンシステム（touch screen system）１００は、パネル（panel）１１０と、第一光学式センサー（photosensor）１２０と、第二光学式センサー１３０と、プロセッサー（processor）１４０と、を含む。前記パネル１１０には、矩形のタッチスクリーン区域（touch screen area）１１２が形成されている。前記第一光学式センサー１２０と第二光学式センサー１３０は、前記タッチスクリーン区域１１２の一辺１１２ａ（boundary）の両端に設置されている。前記タッチスクリーン区域１１２は、前記第一光学式センサー１２０と前記第二光学式センサー１３０のセンシング範囲（sensing range）に入っている。前記第一光学式センサー１２０と第二光学式センサー１３０は、前記プロセッサー１４０に電気接続されている。
【０００４】
操作物（pointer）１５０で前記タッチパネル区域１１２を押したり滑らせたりする場合、前記第一光学式センサー１２０と第二光学式センサー１３０は第一センシング線路（sensing path）１６２と第二センシング線路１６４に沿って前記操作物１５０の位置を検出する。前記プロセッサー１４０は、前記第一光学式センサー１２０と第二光学式センサー１３０がセンシングすることにより前記操作物１５０の位置を検出する。
【０００５】
しかし、前記タッチスクリーンシステム１００には、２つの光学式センサー１２０と１３０が設置されているので、タッチスクリーンシステム１００の生産コストが高くなる欠点がある。
【先行技術文献】
【特許文献】
【０００６】
【特許文献１】米国特許第４７８２３２８号明細書
【特許文献２】米国特許第６８０３９０６号明細書
【発明の概要】
【発明が解決しようとする課題】
【０００７】
本発明の主な目的は、生産コストを低下させることができるセンサーシステムを提供することにある。
【課題を解決するための手段】
【０００８】
上記課題を解決するために本発明では、操作物の存在を判断する一方、操作物の位置を検出する場所に適用するセンサーシステムを提供する。前記センサーシステムは、パネルと、反射素子と、画像検出装置（image sensor）と、プロセッサーと、第一導光棒（light guide rod）と、第二導光棒と、光源モジュール（light source module）と、を含む。前記パネルは、第一表面と、その第一表面に位置する第一区域と、その第一表面に位置する第三区域と、を具備する。前記第三区域は、前記第一区域の内に位置する。前記第一区域は、順に接続される第一辺と、第二辺と、第三辺と、第四辺と、を具備する四辺形区域である。前記第三区域の面積（square measure）は、前記第一区域の面積より小さい。
【０００９】
前記反射素子は、前記第一表面の上に置かれるように前記第一辺に設置されている。前記反射素子は、前記第一表面に垂直し、且つ鏡面反射面（reflective mirror plane）から構成される第二平面を具備する。前記第二平面は、第一区域の鏡像である第二区域と前記第三区域の鏡像である第四区域を形成する。前記画像検出装置は、前記第一平面の上で前記第三辺と第四辺が隣接する第一隅部に設置されて、前記第三区域と第四区域を検出する。前記プロセッサーは、前記画像検出装置に電気接続されている。
【００１０】
前記第一導光棒は、前記第一表面の上に置かれるように前記第二辺に設置されている。前記第一導光棒は、第一出光面を具備し、前記反射素子の反射により反射素子の反対側に第一導光棒の第二鏡像が形成される。前記第二導光棒は、前記第一表面の上に置かれるように前記第三辺に設置されている。前記第二導光棒は、第二出光面を具備し、前記反射素子の反射により反射素子の反対側に第二導光棒の第三鏡像が形成される。第一導光棒の少なくとも一部分と、第二鏡像の少なくとも一部分と、第三鏡像の少なくとも一部分は、前記画像検出装置の検出できる範囲に入っている。前記光源モジュールは、前記第一導光棒と第二導光棒に光源を提供する。提供する光線は、前記第一出光面と第二出光面から出る後、前記画像検出装置に入射される。
【００１１】
前記操作物を前記第三区域に接近させる場合、操作物の第一鏡像が反射素子の反対側に形成される。前記操作物と第一鏡像が前記画像検出装置の検出範囲に入る場合、前記画像検出装置が操作物の存在を判断し、前記プロセッサーが操作物の実の位置を判断する。
【００１２】
前記光源モジュールは、前記第一隅部に設置される第一ランプを含む。前記第一導光棒と第二導光棒が連結されている。前記光源モジュールは、前記第一辺と第二辺が隣接する第二隅部に設置される第二ランプをさらに含む。
【００１３】
前記光源モジュールは、前記第二辺と第三辺が隣接する第三隅部に設置される第一ランプを含む。前記光源モジュールは、前記第一隅部に設置される第一ランプをさらに含む。前記光源モジュールは、前記第一辺と第二辺が隣接する第二隅部に設置される第三ランプをさらに含む。
【００１４】
前記第一出光面と第二出光面が粗雑面に形成されている。
【００１５】
前記センサーシステムは、前記第一出光面に設置される第一拡散フィルム（diffuser）と、前記第二出光面に設置される第二拡散フィルムと、をさらに含む。
【００１６】
前記第一導光棒は、前記第一出光面と相対する第一導光棒の第一底面に設置される第一反射層を含み、前記第二導光棒は、前記第二出光面と相対する第二導光棒の第二底面に設置される第二反射層を含む。
【００１７】
上記課題を解決するために本発明では、操作物の存在を判断する一方、操作物の位置を検出する場所に適用する他のセンサーシステムを提供する。前記センサーシステムは、パネルと、反射素子と、画像検出装置と、プロセッサーと、第一拡散フィルムと、第二拡散フィルムと、光源モジュールと、を含む。前記パネルは、第一表面と、その第一表面に位置する第一区域と、その第一表面に位置し且つ前記第一区域の内に位置する第三区域と、を具備する。前記第一区域は、順に接続される第一辺と、第二辺と、第三辺と、第四辺と、を具備する四辺形区域である。前記第三区域の面積は、前記第一区域の面積より小さいか同じである。
【００１８】
前記反射素子は、前記第一表面の上に置かれるように前記第一辺に設置されている。前記反射素子は、前記第一表面に垂直し且つ鏡面反射面から構成される第二平面を具備する。前記第二平面は、第一区域の鏡像である第二区域と前記第三区域の鏡像である第四区域を形成する。前記画像検出装置は、前記第一平面の上で前記第三辺と第四辺が隣接する第一隅部に設置されて、前記第三区域と第四区域を検出する。前記プロセッサーは、前記画像検出装置に電気接続されている。
【００１９】
第一拡散フィルムは、前記第一平面で前記第二辺に設置され、第一出光面を具備する。前記反射素子の反射により反射素子の反対側に第一拡散フィルムの第二鏡像が形成される。前記第二拡散フィルムは、前記第一平面で前記第三辺に設置され、第二出光面を具備する。前記反射素子の反射により反射素子の反対側に第二拡散フィルムの第三鏡像が形成される。前記第一拡散フィルムの少なくとも一部分と、前記第二鏡像の少なくとも一部分と、前記第三鏡像の少なくとも一部分は、前記画像検出装置が検出できる範囲に入っている。前記光源モジュールは、前記第一拡散フィルムと第二拡散フィルムに光線を提供する。提供する光線は、前記第一出光面と第二出光面から出る後、前記画像検出装置に入射される。
【００２０】
前記操作物を前記第三区域に接近させる場合、操作物の第一鏡像が反射素子の反対側に形成される。前記操作物と第一鏡像が前記画像検出装置の検出範囲に入る場合、前記画像検出装置が操作物の存在を判断し、前記プロセッサーが操作物の実の位置を判断する。
【００２１】
前記光源モジュールは、複数のランプを含む。前記複数のランプで一部分のランプが前記第一出光面と相対する第一拡散フィルムの第一底面に設置され、残り部分のランプが前記第二出光面と相対する第二拡散フィルムの第二底面に設置されている。
【発明の効果】
【００２２】
上述するように、本発明のセンサーシステムは、設置される反射素子と画像検出装置により操作物の位置を検出することができる。従来の技術と比較すると、本発明のセンサーシステムは画像検出装置を１つだけ使うので、センサーシステムの製造コストを低下させることができる。
【図面の簡単な説明】
【００２３】
【図１】従来の技術に係るタッチスクリーンシステムを示す図である。
【図２】本発明の第一実施形態に係るセンサーシステムを示す図である。
【図３】図２の第二光源と、第一導光棒と、第一拡散フィルムを示す図である。
【図４】図２のセンサーシステムの作動原理を示す図である。
【図５】図４のプロセッサーが操作物の位置を判断することを説明する図である。
【図６】本発明の第二実施形態に係るセンサーシステムを示す図である。
【図７】本発明の第三実施形態に係るセンサーシステムを示す図である。
【発明を実施するための形態】
【実施例１】
【００２４】
図２は、本発明の第一実施形態に係るセンサーシステムを示す図であり、図３は、図２の第二光源と、第一導光棒と、第一拡散フィルムを示す図であり、図４は、図２のセンサーシステムの作動原理を示す図である。図２〜図４に示すセンサーシステム２００は、操作物２７０の存在を判断する一方、操作物２７０の位置を検出する場所に適用する。前記センサーシステム２００は、パネル２１０と、反射素子２２０と、第一導光棒２３０と、第二導光棒２４０と、画像検出装置２５０と、プロセッサー（processor）２６０と、光源モジュール２９０と、を含む。前記パネル２１０は、第一表面２１４と、前記第一表面２１４の略中心に位置する第一区域２１２と、前記第一表面２１４の略中心に位置する第三区域２１６と、を含む白色板（whiteboard）或いはタッチスクリーン（touch screen）である。前記第三区域２１６は、前記第一区域２１２の略中心に位置している。前記第一区域２１２は、順に接続される第一辺２１２ａと、第二辺２１２ｂと、第三辺２１２ｃと、第四辺２１２ｄと、を含む四辺形区域である。前記第三区域２１６は、前記第一区域２１２の略中心に位置する四辺形区域である。
【００２５】
本実施形態で、前記第三区域２１６は面積が前記第一区域２１２より小さい四辺形区域である。前記第三区域２１６の外形と配置方式に対する説明は、台湾の特願０９７１４２３５５とアメリカの特願１２／３３４４４９を参照することができるので、これで再度説明しない。他の実施形態で、前記第三区域２１６の面積と前記第一区域２１２の面積を同じにし、且つ両者が完全に重なるようにすることができる。
【００２６】
前記反射素子２２０は、前記第一表面２１４の上に置かれるように前記第一辺２１２ａに設置されている。前記反射素子２２０の第二平面２２２は、前記第一表面２１４に垂直する鏡面反射面である。前記第二平面２２２は、光線を反射して第一区域２１２の鏡像である第二区域２１２’と第三区域２１６のの鏡像である第四区域２１６’を反射素子２２０の反対側に形成する。前記反射素子２２０は、表面反射鏡或いは他の反射素子から構成される。
【００２７】
前記第一導光棒２３０は、前記第一表面２１４の上に置かれるように前記第二辺２１２ｂに設置されている。前記第一導光棒２３０は、第一出光面２３２を含む。前記反射素子２２０の反射により、前記第一導光棒２３０の鏡像である第二鏡像２３０’が反射素子２２０の反対側に形成される。前記第二導光棒２４０は、前記第一表面２１４の上に置かれるように前記第三辺２１２ｃに設置されている。前記第二導光棒２４０は、第二出光面２４２を含む。前記反射素子２２０の反射により、前記第二導光棒２４０の鏡像である第三鏡像２４０’が反射素子２２０の反対側に形成される。本実施形態で、前記第一導光棒２３０と前記第二導光棒２４０が直接に連結されている。本発明のセンサーシステム２００は、第一拡散フィルムＦ２１と第二フィルムＦ２２をさらに含む。前記第一拡散フィルムＦ２１は、前記第一出光面２３２の上に設置され、前記第二フィルムＦ２２は、前記第二出光面２４２の上に設置されている。他の実施形態で、前記第一出光面２３２と第二出光面２４２に微小な粗雑面を形成し、第一拡散フィルムＦ２１と第二フィルムＦ２２を設置しなくてもよい。
【００２８】
本実施形態で、前記第一導光棒２３０は、前記第一出光面２３２と相対する第一導光棒２３０の第一底面２３６に設置されている第一反射層２３４を含み、前記第二導光棒２４０は、前記第二出光面２４２と相対する第二導光棒２４０の第二底面２４６に設置されている第二反射層２４４を含む。他の実施形態で、前記第一反射層２３４と前記第二反射層２４４を設置しなくてもよい。
【００２９】
前記反射素子２２０の反射により、前記第一区域２１２の第四辺２１２ｄの鏡像である第四鏡像２１２ｄ’が反射素子２２０の反対側に形成される。前記反射素子２２０と、第一導光棒２３０と、第二導光棒２４０と、第四辺２１２ｄとは、前記第一区域２１２の周囲に順に形成され、前記反射素子２２０と、第二鏡像２３０’と、第三鏡像２４０’と、第四鏡像２１２ｄ’とは、前記第二区域２１２’の周囲に順に形成されている。
【００３０】
前記画像検出装置２５０は、前記第一平面２１４の上で前記第三辺２１２ｃと第四辺２１２ｄが隣接する第一隅部Ｃ２１に設置されている。前記第三区域２１６と前記第四区域２１６’は、みんな前記画像検出装置２５０の検出できる範囲に入っている。少なくとも一部分の第一導光棒２３０と、少なくとも一部分の第一鏡像２３０’と、少なくとも一部分の第三鏡像２４０’も前記画像検出装置２５０の検出できる範囲に入っている。本実施形態で、一部分の第一導光棒２３０と、第一鏡像２３０’と、第三鏡像２４０’とが前記画像検出装置２５０の検出できる範囲に入っている。前記プロセッサー２６０は、前記画像検出装置２５０に電気接続されている。
【００３１】
前記光源モジュール２９０は、前記第一導光棒２３０と第二導光棒２４０に光線を提供する。前記第一導光棒２３０と第二導光棒２４０に導光される光線は、前記第一出光面２３２と第二出光面２４２から出る後、前記画像検出装置２５０に入射される。本実施形態の光源モジュール２９０は、前記第三辺２１２ｃと第四辺２１２ｄが隣接する第一隅部Ｃ２１に設置される第一ランプ２９２と、前記第一辺２１２ａと第二辺２１２ｂが隣接する第二隅部Ｃ２２に設置される第二ランプ２９４と、を含む。前記第一ランプ２９２と第二ランプ２９４は、発光ダイオード素子（light-emitting-diode element、ＬＥＤ elementと略称）或いは他の発光素子から構成される。前記第一導光棒２３０は、前記第一出光面２３２に隣接する第一側面２３８を含み、前記第二導光棒２４０は、前記第二出光面２４２に隣接する第二側面２４８を含む。前記第一ランプ２９２は、前記第二側面２４８に光線を提供するように第二側面２４８のそばに設置され、前記第二ランプ２９４は、前記第一側面２３８に光線を提供するように第一側面２３８のそばに設置されている。他の実施形態で、第一ランプ２９２を１つだけ設置し、第二ランプ２９４を設置しなくてもよい。
【００３２】
図５は、図４のプロセッサーが操作物の位置を判断することを説明する図である。図４と図５を一緒に参照なさい。前記操作物２７０を前記第三区域２１６に接近させる場合、操作物２７０の第一鏡像２７０’が反射素子２２０の反対側に形成される。前記操作物２７０と第一鏡像２７０’が前記画像検出装置２５０の検出範囲に入る場合、前記画像検出装置２５０が操作物２７０の存在を判断し、前記プロセッサー２６０が操作物２７０の実の位置を判断する。即ち、前記画像検出装置２５０は、第一センシング線路２８２に沿って操作物２７０の存在を判断し、第二センシング線路２８２に沿って第一鏡像２７０’の存在を判断する。次に、前記プロセッサー２６０が第一センシング線路２８２と第二センシング線路２８２に沿って操作物２７０の実の位置を判断する。
【００３３】
本実施形態の画像検出装置２５０は、画像検出用窓口２５２を具備する。前記操作物２７０が前記第三区域２１６に接近されない場合、前記第一導光棒２３０の第一出光面２３２と、第一出光面２３２に対応する第二鏡像２３０’の部分と、第二出光面２４２に対応する第三鏡像２３０’の部分と、から射出する光線により前記画像検出用窓口２５２に輝度（brightness）の高い高輝度区域（bright zone）が形成される。前記高輝度区域が主なセンシング区域（primary sensing zone）になる。前記操作物２７０が前記第三区域２１６に接近される場合、前記画像検出用窓口２５２の高輝度区域に前記操作物２７０に対応する第一オブスキュア区域（obscure strip）と第一鏡像２７０’に対応する第二オブスキュア区域が形成される。前記プロセッサー２６０は、前記画像検出用窓口２５２に形成される第一オブスキュア区域と第二オブスキュア区域により前記第三区域２１６に置かれる前記操作物２７０の位置を検出する。上述する技術で操作物の位置を検出方法は、台湾の特願０９７１２６０３３と、台湾の特願０９７１４２３５５と、台湾の特願０９８１００９６９と、アメリカの特願１２／２４９２２２と、アメリカの特願１２／３３４４４９と、アメリカの特願１２／４２２１９１を参照することができるので、そこで再度説明しない。
【００３４】
上述するように、本発明のセンサーシステム２００は、設置される反射素子２２０と画像検出装置２５０により操作物２７０の位置を検出することができる。従来の技術と比較すると、本発明のセンサーシステム２００は画像検出装置２５０を１つだけ使ってもよいので、センサーシステム２００の製造コストを低下させることができる。
【実施例２】
【００３５】
図６は、本発明の第二実施形態に係るセンサーシステムを示す図である。図２のセンサーシステム２００と図６のセンサーシステム３００が違うところは、センサーシステム３００の光源モジュール３９０が第一ランプ３９２、第二ランプ３９４及び第三ランプ３９６を含み、第一導光棒３３０と第二導光棒３４０が接続しないように設置されることである。
【００３６】
図６の反射素子３２０は、第一区域３１２の第一辺３１２ａに設置されている。前記第一ランプ３９２は、第一区域３１２で前記第二辺３１２ｂと第三辺３１２ｃが隣接する第三隅部Ｃ３３に設置され、前記第二ランプ３９４は、前記第三辺３１２ｃと第四辺３１２ｄが隣接する第一隅部Ｃ３１に設置され、前記第三ランプ３９６は、前記第一辺３１２ａと第二辺３１２ｂが隣接する第二隅部Ｃ３２に設置されている。他の実施形態で、前記第三ランプ３９６を設置しないか、前記第二ランプ３９４と第三ランプ３９６をみんな設置しなくてもよい。
【実施例３】
【００３７】
図７は、本発明の第三実施形態に係るセンサーシステムを示す図である。図２のセンサーシステム２００と図７のセンサーシステム４００が違うところは、図７のセンサーシステム４００に第一導光棒２３０と第二導光棒２４０が設置されなく、光源モジュール４９０が複数のランプ４９２を含むことである。
【００３８】
図７の反射素子４２０は、第一区域４１２の第一辺４１２ａに設置されている。第一拡散フィルムＦ４１は、第一平面４１４で第一区域４１２の第二辺４１２ｂに形成され、第二拡散フィルムＦ４２は、第一平面４１４で第一区域４１２の第三辺４１２ｃに形成されている。前記第一拡散フィルムＦ４１は、第一出光面Ｅ４１と第一出光面Ｅ４１の反対側に形成される第一底面Ｂ４１を含み、前記第二拡散フィルムＦ４２は、第二出光面Ｅ４２と第二出光面Ｅ４２の反対側に形成される第一底面Ｂ４２を含む。前記光源モジュール４９０の一部分のランプ４９２は、前記第一底面Ｂ４１に設置され、残り部分のランプ４９２は、前記第二底面Ｂ４２に設置されている。前記光源モジュール４９０の光線が第一底面Ｂ４１と第二底面Ｂ４２から第一拡散フィルムＦ４１と第二拡散フィルムＦ４２に入る後、第一出光面Ｅ４１と第二出光面Ｅ４２から出て画像検出装置４５０へに導光される。
【００３９】
上述するように、本発明のセンサーシステムは、設置される反射素子と画像検出装置により操作物の位置を検出することができる。従来の技術と比較すると、本発明のセンサーシステムは画像検出装置を１つだけ使ってもよいので、センサーシステムの製造コストを低下させることができる。
【符号の説明】
【００４０】
１００  タッチスクリーンシステム
１１０、２１０  パネル
１１２  タッチスクリーン区域
１１２ａ、２１２ａ、２１２ｂ、２１２ｃ、２１２ｄ、３１２ａ、３１２ｂ、３１２ｃ、３１２ｄ、４１２ａ、４１２ｂ、４１２ｃ  辺
１２０、１３０  光学式センサー
１４０、２６０  プロセッサー
１５０、２７０  操作物
１６２、１６４、２８２、２８４  センシング線路
２００、３００、４００  センサーシステム
２１２、２１２’、２１６、２１６’、３１２、４１２  区域
２１４、２２２  平面
２２０、３２０、４２０  反射素子
２３０、２４０、３３０、３４０  導光棒
２１２ｄ’、２３０’、２４０’、２７０’  鏡像
２３２、２４２、Ｅ４１、Ｅ４２  出光面
２３４、２４４  反射層
２３６、２４６、Ｂ４１、Ｂ４２  底面
２３８、２４８  側面
２５０  画像検出装置
２５２  画像検出用窓口
２９０、３９０  光源モジュール
２９２、２９４、３９２、３９４、３９６、４９２  ランプ
Ｃ２１、Ｃ２２、Ｃ３１、Ｃ３２、Ｃ３３  隅部
Ｆ２１、Ｆ２２、Ｆ４１、Ｆ４２  拡散フィルム
【図１】
0005410253.tif 000002
【図２】
0005410253.tif 000003
【図３】
0005410253.tif 000004
【図４】
0005410253.tif 000005
【図５】
0005410253.tif 000006
【図６】
0005410253.tif 000007
【図７】
0005410253.tif 000008